(57)【要約】      （修正有）【課題】排尿管の汚染防止と尿排出時の尿の飛び散りを防止し得ると共に、寸法の小さいバルブ装置及び該バルブ装置を備えた採尿バッグを提供する。【解決手段】採尿バッグの尿排出部に取り付けられるバルブ装置４であって、バッグ本体から延びる排尿管を保持し得るケーシング２０と、該ケーシング内の排尿管に対し該排尿管を横切る方向に摺動可能にケーシング２０に支持され、前進位置でケーシングの内方へ移動し排尿管を径方向に弾性変形させて閉鎖し、後退位置でケーシングから外方へ移動し排尿管の弾性変形を解除して開放し得るスライド部３０とを備えた採尿バッグ用バルブ装置、及び該バルブ装置を備えた採尿バッグ。【選択図】図２
2008229312.tif 000002
【特許請求の範囲】
【請求項１】
採尿バッグの尿排出部に取り付けられるバルブ装置であって、バッグ本体から延びる排尿管を保持し得るケーシングと、該ケーシング内の排尿管に対し該排尿管を横切る方向に摺動可能に該ケーシングに支持され、前進位置で前記ケーシングの内方へ移動し排尿管を径方向に弾性変形させて閉鎖し、後退位置で前記ケーシングから外方へ移動し排尿管の弾性変形を解除して開放し得るスライド部とを備えていることを特徴とする採尿バッグ用バルブ装置。
【請求項２】
前記ケーシングに支持され前記スライド部を前記前進位置に解除可能に保持する係止部をさらに備えていることを特徴とする請求項１に記載の採尿バッグ用バルブ装置。
【請求項３】
前記係止部が、前記ケーシングに支持されて弾性的に変位する爪を備え、前記スライド部が前進し排尿管を閉鎖する位置に至ったときに弾性力に基づき該スライド部に係止して該スライド部の位置を保持することを特徴とする請求項２に記載の採尿バッグ用バルブ装置。
【請求項４】
前記ケーシングが、排尿管の先端を臨ませ得る開口部を有し、前記スライド部は、圧締部とシャッタ部とを備え、該スライド部の前進時に前記圧締部が排尿管を弾性変形させて閉鎖すると共に前記シャッタ部が前記開口部を閉じ、後退時に前記圧締部が排尿管を開放すると共に前記シャッタ部が前記開口部を開くように、前記圧締部及びシャッタ部が配置されていることを特徴とする請求項１から３のいずれかに記載の採尿バッグ用バルブ装置。
【請求項５】
前記ケーシングが、バッグ本体から延びる排尿管を挿入するための切欠き部を背面に有し、前面が開放され、排尿管を内部に保持し得るケーシング本体と、該ケーシング本体の前面を開閉自在に閉じるカバーとを備えていることを特徴とする請求項１から４のいずれかに記載の採尿バッグ用バルブ装置。
【請求項６】
尿を収容するためのバッグ本体と、インレットチューブを該バッグ本体に接続する接続部と、前記バッグ本体から延び少なくとも一部に弾性変形可能な柔軟部分を有する排尿管と、前記バッグ本体に取り付けられた請求項１から５のいずれかに記載のバルブ装置とを備えたことを特徴とする採尿バッグ。
【発明の詳細な説明】
【技術分野】
【０００１】
本発明は、患者が排出する尿を尿道留置カテーテル等を通じて採取するための採尿バッグ及びその採尿バッグのためのバルブ装置に関する。
【背景技術】
【０００２】
採尿バッグは、尿道留置カテーテルに接続されたインレットチューブをバッグ本体の上部に接続し、バッグ本体の下部から排出チューブを延ばしたものが一般的である。従来の採尿バッグは、例えば、特許文献１に記載されており、図１１に示すように、バッグ本体１０１が透明又は半透明の樹脂シートで形成され、上部にインレットチューブ１０２が接続され、下部に排出チューブ１０３が接続されており、バッグ本体の上端部には吊り下げ具１０４が固着されている。採尿バッグ１０１の下端部は、２枚のシートを２本のほぼ水平な線状に接合して筒状の差込部１０５を形成している。通常は排出チューブの途中をクリップ１０６で閉鎖し、先端部を差込部１０５に挿入しておく。
【０００３】
この採尿バッグを使用する際は、患者の尿道に装着された尿道留置カテーテルをインレットチューブ１０２の先端に接続し、患者がベッドにいるときには、吊り下げ具１０４によりバッグをベッドの枠部に吊り下げておく。このとき、排出チューブ１０３は差込部１０５に挿入されているので、床に接して汚れるのが防止される。そして、バッグ内に蓄積された尿を排出する際には、排出チューブ１０３を差込部１０５から抜き出し、クリップ１０６を緩めて、バッグ本体内の尿を取り出す。しかしながら、排出チューブは、可撓性を有すると共にある程度の弾性を備えているので、差込部１０５から抜き出す際に、曲げた状態から急激に戻り、これに伴って、先端部に付着していた尿が飛び散るという問題があった。
【０００４】
これに対処するものとして、図１２に示すようなバルブ装置付きの採尿バッグが開発された。これは、上部にインレットチューブ１１１、下部に排尿管１１２が接続されたバッグ本体１１０に対し、排尿管１１２を囲むようにしてバルブ装置１１３を取り付けたものである。バルブ装置は、図１３に示すように、排尿管を保持するケーシング１１４と、該ケーシングに支持された操作部１１５とを備えている。ケーシング１１４及び操作部１１５は、共にほぼ円形の皿状をなして相互に向き合って嵌め合わされ、ケーシング１１４に対し操作部１１５は回動可能に組み合わされる。ケーシング１１４及び操作部１１５は、排尿管１１２の下端を臨ませる開口部を各々下部に有している。操作部１１５は、開口部付近の上部に押圧片１１６、その下方にシャッタ１１７を備えている。操作部１１５の上端部には操作用のつまみ１１８が設けられ、ケーシング１１４にはこれに対応した位置に係止爪１１９が設けられている。
【０００５】
このバルブ装置は、通常は、図１３(a)に示すように、つまみ１１８を係止爪１１９に係止した状態とする。これにより、押圧片１１６が排尿管１１２を側方から押圧し、弾性変形させることにより閉鎖する。これと同時に、シャッタ１１７がケーシング下部の開口部を閉じ、排尿管の汚染を防止する。尿を排出する際は、図１３(b)に示すように、つまみ１１８を係止爪１１９から外して操作部を回動する。これにより、シャッタ１１７が開口部を開くと共に、押圧片１１６が排尿管１１２の押圧を解除して開放し、バッグ本体内の尿が排出される。
【特許文献１】特開平９−２０１４１１号公報
【発明の開示】
【発明が解決しようとする課題】
【０００６】
上記バルブ装置を備えた採尿バッグは、排尿管の汚染防止と尿排出時の尿の飛び散りを防止し得るものであったが、バルブ装置は、ケーシングに対して操作部を回動する構造となっているため、寸法が大きくなるという欠点を有していた。すなわち、排尿管を変形させて開閉するには、押圧片１１６をある程度の範囲に亘って動作させる必要があり、その動作距離を得るためには、操作部の半径を大きくする必要があり、ケーシングはその操作部を収容するために、かなりの大きさとなる。さらに、つまみは操作部から径方向外方へ突出させる必要がある。その結果、バルブ装置全体の寸法が、径方向に大きくならざるを得なかった。
【０００７】
採尿バッグは、通常はベッドサイドに吊り下げられるので、その限りではバルブ装置の大きさはさほど問題とならない。しかしながら、患者の動作によっては、採尿バッグが、ベッド上に引き上げられることもあり、特に病院での非監視時間帯や自宅での使用の際には、ベッド上に引き上げられた状態がそのまま続くこともある。このとき、バルブ装置を備えた採尿バッグは、バルブ装置部分が硬質であるので、その寸法が大きいと、患者への接触や身体下部への潜り込みにより、ベッド上の患者に痛みを与えたり、傷付けたりするという問題を生じるおそれがあった。
【０００８】
したがって、本発明は、排尿管の汚染防止と尿排出時の尿の飛び散りを防止し得ると共に、ベッド上に引き上げられたときにも患者に痛みや傷を与えるおそれの少ない小さい寸法のバルブ装置、及び該バルブ装置を備えた採尿バッグを提供することを目的とする。
【課題を解決するための手段】
【０００９】
本発明は、前記目的を達成するため、採尿バッグの尿排出部に取り付けられるバルブ装置であって、バッグ本体から延びる排尿管を保持し得るケーシングと、該ケーシング内の排尿管に対し該排尿管を横切る方向に摺動可能に該ケーシングに支持され、前進位置で前記ケーシングの内方へ移動し排尿管を径方向に弾性変形させて閉鎖し、後退位置で前記ケーシングから外方へ移動し排尿管の弾性変形を解除して開放し得るスライド部とを備えていることを特徴とする採尿バッグ用バルブ装置を提供するものである。
【００１０】
本発明はまた、前記目的を達成するため、尿を収容するためのバッグ本体と、インレットチューブを該バッグ本体に接続する接続部と、前記バッグ本体から延び少なくとも一部に弾性変形可能な柔軟部分を有する排尿管と、前記バッグ本体に取り付けられた前記バルブ装置とを備えたことを特徴とする採尿バッグを提供するものである。
【発明の効果】
【００１１】
本発明に係る採尿バッグ用バルブは、ケーシング内に保持された排尿管に対し、スライド部が、該排尿管を横切る方向に摺動して排尿管の開閉を行なうように該ケーシングに支持されている。したがって、通常の使用時も尿排出時も排尿管をケーシング内に保持した状態とすることができ、排尿管の汚染を防止し、尿排出時の尿の飛び散りを防止することができる。そして、スライド部は、前進位置で前記ケーシングの内方へ移動し排尿管を径方向に弾性変形させて閉鎖し、後退位置で前記ケーシングから外方へ移動し排尿管の弾性変形を解除して開放することができる。このように、排尿管の開閉が、該排尿管を横切る方向に摺動するスライド部により行なわれ、閉鎖時にはケーシングの内方へ移動し、解放時にはケーシングから外方へ移動する構造となっているので、ケーシングはスライド部を摺動可能に支持していればよく、スライド部を内部に収容する大きさを有する必要がない。したがって、ケーシングを含めたバルブ装置全体の寸法を小さくすることができる。
【００１２】
また、本発明に係る採尿バッグは、尿を収容するためのバッグ本体、インレットチューブを該バッグ本体に接続する接続部、及び、前記バッグから延び少なくとも一部に弾性変形可能な柔軟部分を有する排尿管に加えて、前記バルブ装置を備えているので、該バルブ装置の利点に基づき、排尿管の汚染を防止し、尿排出時の尿の飛び散りを防止することができ、しかも小型のバルブ装置故に、たとえベッド上に引き上げられた状態となっても、ベッド上の患者に痛みを与えたり、傷付けたりする危険性が低い。
【発明を実施するための最良の形態】
【００１３】
以下、本発明の実施形態について添付図面を参照しつつ説明する。図面中の同一又は同種の部分については、同じ番号を付して説明を省略することがある。図１は、本発明の一実施形態に係るバルブ装置を備えた採尿バッグを示している。この採尿バッグは、尿を収容するためのバッグ本体１と、該バッグ本体に接続されたインレットチューブ２と、バッグ本体１から延び弾性変形可能で柔軟な排尿管３と、バッグ本体１に取り付けられたバルブ装置４と、バッグ本体の上端部に取り付けられた吊り下げ具５とを備えている。
【００１４】
バッグ本体１は、透明又は半透明の樹脂シートで袋状に形成され、インレットチューブ２は、バッグ本体１上部の接続部２ａから延び、先端部に尿道留置カテーテルを接続できるようになっている。排尿管３は、バッグ本体１の下部から延び下方へ曲折した樹脂製の短管の先端部にゴム製チューブを接続して形成されている。吊り下げ具５は、手指を掛けることができる枠体５ａからフック５ｂが延び、該フック５ｂにより採尿バッグをベッドのフレームに吊り下げることができるようになっている。
【００１５】
バルブ装置４は、図２，図３，図４に示されており、図２は後述するカバーを閉じた状態、図３はカバーを開いた状態、図４はカバーの一部を切欠いた状態であって、(a)は通常の使用状態、(b)は尿排出時の状態を示している。このバルブ装置４は、バッグ本体１に接着されたケーシング２０と、該ケーシングに摺動可能に支持されたスライド部３０とを備えている。
【００１６】
ケーシング２０は、平らな後壁２１、該後壁の上端から延びる上壁２２、後壁２１の両側に位置する側壁２３を備え、全体がほぼ直方体形状をなすケーシング本体２０ａと、該ケーシング本体２０ａの前面を覆うカバー２０ｂとを備えている。カバー２０ｂは、軸２７により、上下方向に回動可能にケーシング本体２０ａに取り付けられ、ケーシング本体２０ａの前面に対して開閉可能となっている。後壁２１には排尿管３をケーシング本体２０ａ内に挿入するための切欠き部２１ａ（図４）が形成され、一方の側壁２３にはスライド部３０を通すための窓２３ａが設けられている。両側の側壁の下端の間には開口部２６が形成されている。また、挿入された排尿管を先端が下方に向く位置に保持するために、排尿管３の両側に平行に位置する保持壁２４，２５が後壁２１から前方へ延びている。窓２３ａに近い側の保持壁２４には、次に述べるスライド部の圧締部３１及びシャッタ部３２を各々通すための通孔２４ａ，２４ｂが形成され、通孔２４ａの上下近傍位置から排尿管側へ突片２４ｃ，２４ｄが水平に延び、通孔２４ａの直ぐ下の位置から突片２４ｅが窓２３ａ側へ水平に延びている。さらに、保持壁２４における通孔２４ａの上方には、窓２３ａに向かって延び、後述するようにスライド部３０に係止する係止爪２９が結合されている。窓２３ａから遠い側の保持壁２５には、突片２４ｃ，２４ｄにほぼ相当する高さの位置から排尿管側へ突片２５ａ，２５ｂが水平に延びている。
【００１７】
スライド部３０は、正面視においてＵ字状（Ｕ字を横に倒した形状）をなし、上部及び下部の平らな板状の水平壁が圧締部３１及びシャッタ部３２、これらを結合する縦壁が操作面３３を各々形成している。圧締部３１の上面には操作面３３に近い位置に突起が形成され、係止爪２９に対する係合部３４となっている。スライド部３０は、図４(a)及び(b)に示すように、窓２３ａに納まる前進位置と、窓２３ａから突出する後退位置とに摺動可能となっている。この摺動の際、圧締部３１は、保持壁２４の通孔２４ａを通り、その上下の突片２４ｃ，２４ｄ，２４ｅによって水平方向に案内される。また、シャッタ部３２は、この摺動の際、通孔２４ｂを通る。
【００１８】
排尿管３は、切欠き部２１ａからケーシング本体２０ａ内に延び、保持壁２４，２５の間に位置する。そして、カバー２０ｂが閉じられた状態において、排尿管３の下端は、開口部２６に臨むように位置する。
【００１９】
この採尿バッグは、次のようにして使用される。通常の使用状態（採尿時）では、カバー２０ｂが閉じられ、スライド部３０は図４(a)に示すように窓２３ａに納まるように押し込んだ前進位置とする。これにより、圧締部３１の先端は排尿管３のゴム製チューブを押圧し弾性変形させて閉鎖する。また、シャッタ部３２が開口部２６の真上に位置して該開口部を閉じる。この実施形態においては、突片２５ａ，２５ｂの間の高さで圧締部３１の先端が排尿管３を押圧するので、押圧力が集中し、排尿管３の閉鎖が確実となる。尤も、その閉鎖が確実に得られるのであれば、突片２５ａ，２５ｂを省略することも可能である。この状態で、係止爪２９は係合部３４に係合し、スライド部３０は前進位置に保持される。
【００２０】
次に、採尿バッグに蓄積した尿を排出する際は、窓２３ａから指を挿入して係止爪２９を押し、係合部３４との係合を解く。係止爪２９は、窓２３ａから奥の位置に設けられることにより、係合部３４との係合が誤って解かれるのが防止されている。この係合の解除により、排尿管３はゴム材の弾性により元の形状に戻って開放され、スライド部３０は排尿管３の弾性力に押され、窓２３ａから突出した後退位置へ移動する。これと共に、シャッタ部３２は開口部２６の位置から外れて該開口部を開放する。これにより、バッグ本体１内の尿は、排尿管３を通じて下方へ排出される。排出が完了した後は、操作面３３を押してスライド部３０を再び前進位置に移動させれば、係止爪２９はその弾性により係合部３４に係合し、スライド部３０は前進位置に保持され、採尿可能な状態となる。
【００２１】
なお、排尿管３の清掃は、スライド部３０を後退位置とし、カバー２０ｂを開くことにより、容易に行なうことができる。また、圧締部３１が板状となっているので、排尿管３の変形領域は、圧締部３１の付近に限られた狭い範囲となっている。その結果、図４に一点鎖線で示すように、排尿管３の上部又は下部に抗菌剤を担持させた管Ａを装着することもでき、これにより菌が排尿管３を通じてバッグ本体内に侵入するのを防止することができる。
【００２２】
図５は、本発明の他の実施形態に係るバルブ装置に使用するスライド部の例を示している。このスライド部３０’は、全体形状が先の例とほぼ同じであるが、圧締部３１’は摺動方向に長く、そこに圧締孔３１０が形成されている。圧締孔３１０は、操作面３３から遠い部分が排尿管３を通し得る径の円形部３１０ａとなっており、操作面３３に近い部分は排尿管３を両側から押し潰すように弾性変形させた厚さにほぼ等しい幅の直線部３１０ｂとされ、両部分の移行部は滑らかに変化している。
【００２３】
図６は、図５に示したスライド部３０’を備えたバルブ装置４’を、カバー２０ｂの一部を切欠いて示しており、(a)は通常の使用状態、(b)は尿排出時の状態を示している。図５及び図６では、先の実施形態と同じ構造の部分に同じ部材番号を付し、異なる構造の部分は対応する部材番号に「’」（ダッシュ）を付して示す。この実施形態では、長い圧締部３１’を通すため、窓２３ａから遠い側の保持壁２５’及び側壁２３’にも、圧締部３１’の断面より僅かに大きい窓２５０，２３０が各々設けられている。また、先の実施形態に設けられていた突片２５ａ，２５ｂはなく、保持壁２５’は平らになっている。
【００２４】
図６に示す採尿バッグの使用方法は、先の実施形態とほぼ同様であり、通常の使用状態（採尿時）では、スライド部３０’を、図６(a)に示すように前進位置とする。これにより、圧締部３１’は、圧締孔３１０における直線部３１０ｂが排尿管３を受け入れる位置を取り、ゴム製チューブを両側部から押圧し弾性変形させて閉鎖する。この状態で、シャッタ部３２が開口部２６の真上に位置して該開口を閉じ、係止爪２９は係合部３４に係合してスライド部３０’を前進位置に保持する。
【００２５】
採尿バッグの尿を排出する際は、係止爪２９を押して係合部３４との係合を解くと共に、操作面３３の上端部に指を掛けて、スライド部３０’を引き出す。或いは、側壁２３’から突出している圧締部３１’の先端部をケーシング２０内へ押し込むようにしてもよい。こうしてスライド部３０’を移動させ、圧締孔３１０における円形部３１０ａが排尿管３を受け入れる位置に至らしめる。これにより、排尿管３はゴム材の弾性により元の形状に戻って開放される。これと共に、シャッタ部３２は開口部２６の位置から外れて該開口部を開放し、バッグ本体１内の尿は、排尿管３を通じて排出される。排出が完了した後は、操作面３３を押してスライド部３０’を再び前進位置に移動させればよい。
【００２６】
なお、図６の実施形態においては、スライド部３０’には、排尿管３の弾性による後退方向への押し戻し力が作用しないので、前進位置での保持上、問題がなければ、係止爪２９を省略することもできる。
【００２７】
図７から図９は、本発明のさらに他の実施形態に係るバルブ装置４Ａを示している。このバルブ装置４Ａは、全体形状が先の例とほぼ同じであるが、スライド部に関する構造を異にする。このバルブ装置４Ａにおいては、スライド部３０Ａが正面視においてＥ字状をなす。すなわち、操作面３３を形成する縦壁からケーシング２０側へ板状に延びる３個の水平壁が、上から順に第１圧締部３５ａ、第２圧締部３５ｂ、シャッタ部３５ｃを構成している。これらに対応して、保持壁２４には通孔２４ｆ、２４ｇ、２４ｈが形成されている。保持壁２４は、第１圧締部３５ａ及びシャッタ部３５ｃの間に位置する部分において厚さを増して側壁２３に達している。これにより、通孔２４ｇは、水平方向に長く延びて第２圧締部３５ｂをガイドし、スライド部３０Ａを水平方向に円滑に摺動させる。
【００２８】
側壁２３の窓２３ａから遠い側の保持壁２５には、スライド部３０Ａが押し込まれたときに第１圧締部３５ａの先端部を受け入れる凹部２５ｃが形成されている。また、保持壁２４における通孔２４ｆの上方には、窓２３ａに向かって延び側壁２３外へ僅かに突出する係止爪２９が結合されている。そして、第１圧締部３５ａの上面には操作面３３に近い位置に突起が形成され、係止爪２９の爪部２９ａに対する係合部３４となっている。スライド部３０Ａは、図９(a)及び(b)に示すように、窓２３ａに納まる前進位置と、窓２３ａから突出する後退位置とに摺動可能である。
【００２９】
この構造により、スライド部３０Ａが前進位置へ押し込まれると、第１圧締部３５ａ及び第２圧締部３５ｂが、各々排尿管３の中間部から下部を押圧し弾性変形させて閉鎖する。これにより、排尿管３は下部全体がほぼ平坦となるように変形する。バルブ装置閉鎖時に排尿管３が平坦状とならず、管下部が閉鎖前の状態に近い形状を維持していると、その部分に尿が残留し、バルブ装置から滴下する場合がある。しかし、この実施形態によれば、第１圧締部３５ａ及び第２圧締部３５ｂが排尿管３を平坦状に変形させるので、そのおそれがない。また、この実施形態においては、第１圧締部３５ａの先端と凹部２５ｃとの間で排尿管３が押圧されるので、押圧力が集中し、排尿管３の閉鎖が確実となる。尤も、その閉鎖が確実に得られるのであれば、凹部２５ｃを省略することも可能である。
【００３０】
この押し込み状態で、係止爪２９は係合部３４に係合し、スライド部３０Ａは前進位置に保持される。採尿バッグに蓄積した尿を排出する際は、指で係止爪２９をその弾性力に抗して持ち上げ、係合部３４との係合を解けばよい。これにより、排尿管３は弾性により元の形状に戻って開放され、排尿管３に押されてスライド部３０は後退位置へ移動し、シャッタ部３５ｃは開口部２６を開放する。
【００３１】
この実施形態においてはさらに、バルブ閉鎖状態を保つための安全機構が設けられている。すなわち、窓２３ａの上部には、係止爪２９と窓２３ａ上縁との間に挿入可能な抑止部２８が位置しており、該抑止部２８は、窓２３ａにおける背面側において薄肉部により側壁２３に結合され水平方向に回動可能となっている。したがって、図７に示すように、抑止部２８を係止爪２９と窓２３ａ上縁との間に挿入した位置とすれば、抑止部２８が係止爪２９の上方を塞ぐので、係止爪２９を持ち上げることはできない。バルブ装置４Ａを開くには、図８に示すように、抑止部２８を後方へ回動して係止爪２９の上方位置から取り除き、その後に係止爪２９を持ち上げるという操作をする必要がある。したがって、誤って係止爪２９を持ち上げてしまったり、何らかの衝撃で係止爪２９が上昇して、排尿管３が開放されて尿がこぼれ出るという問題が解消される。
【００３２】
なお、このような安全機構は、スライド部３０Ａに設けられた係合部３４に向かう弾性力をもって該係合部３４に係合する係止爪２９に対し、該係止爪が係合部３４から離反する方向に移動するのを阻止するように抑止部を設けることにより、種々の形態で構成することができる。例えば、係止爪２９の上方を塞ぐ位置と開放する位置とに摺動する部材で抑止部を構成することもできる。また、係止爪が押し下げにより係合部との係合を解く構造の場合は、係止爪とスライド部との間に進入して係止爪の押し下げを制止するように抑止部を設けることもできる。
【００３３】
図１０は、バルブ装置４Ａと異なる形状のスライド部３０Ｂを備えたバルブ装置４Ｂを示している。このスライド部３０Ｂは、正面視において矩形枠状をなす。すなわち、操作面３３を形成する縦壁の上端及び下端からケーシング２０側へ板状に延びる水平壁が、上部圧締部３６ａ及びシャッタ部３６ｃを構成しており、これら上部圧締部３６ａ及びシャッタ部３６ｃの各先端部付近を相互に結合するように板状に延びる中間圧締部３６ｂが設けられている。保持壁２４は、スライド部３０Ｂが位置する部分において厚さを増して側壁２３に達しており、そこにスライド部３０Ｂを受け入れる開口部２４ｊが設けられ、該開口部２４ｊは上部圧締部３６ａ及びシャッタ部３６ｃをガイドし、スライド部３０Ｂを水平方向に円滑に摺動させる。
【００３４】
側壁２３の窓２３ａから遠い側の保持壁２５には、スライド部３０Ａが押し込まれたときに上部圧締部３６ａの先端部を受け入れる凹部２５ｃが形成されている。また、保持壁２４における上記開口部の上方には、窓２３ａに向かって延び側壁２３外へ僅かに突出する係止爪２９が結合されている。そして、上部圧締部３６ａの上面には操作面３３に近い位置に突起が形成され、係止爪２９の爪部２９ａに対する係合部３４となっている。スライド部３０Ｂも、図１０(a)及び(b)に示すように、窓２３ａに納まる前進位置と、窓２３ａから突出する後退位置とに摺動可能となっている。
【００３５】
したがって、この構造においても、スライド部３０Ｂが前進位置へ押し込まれると、上部圧締部３６ａ及び中間圧締部３６ｂが、各々排尿管３の上部及び中央部を押圧し弾性変形させて閉鎖する。これにより、排尿管３は下部全体がほぼ平坦となるように変形しするので、排尿管下部に尿が残留してバルブ装置から滴下するという問題を生じない。また、この実施形態においても先の実施形態と同様の抑止部２８が設けられ、バルブ閉鎖状態を保つための安全機構となっている。
【００３６】
図９及び図１０についての説明から理解されるように、スライド部は、前進位置において排尿管の上下方向における中間位置から下端部に亘って平坦状に変形させるように先端の圧締部が形成されているのが望ましく、これにより、排尿管下部に尿が残留してバルブ装置から滴下するという問題の発生が回避される。このための圧締部の形状は、スライド部の上部から下部にかけて複数本の押圧部分を設けて各々の先端部で排尿管を圧締し、或いはスライド部の先端部に連続して延びる押圧部分を備え該部分で排尿管を圧締するもの等とすることができる。
【００３７】
本発明は、上記実施形態に限定されるものではなく、種々の変形が可能である。上記の実施形態においては、通常使用時にスライド部３０が窓２３ａ内に納まる構造となっていたが、寸法の大きさ等、使用上の問題がなければ、スライド部は、通常使用時にケーシングの内方へ移動した後に一部がケーシングから突出していてもよい。また、スライド部は、排尿管が延びる方向に対して垂直に進退動するのが望ましいが、排尿管の開閉が可能であれば、ある程度の傾斜をもつ等、排尿管を横切る方向に摺動可能となっていればよい。
【００３８】
カバー２０ｂは、ケーシング本体２０ａに対して、図示の実施形態のように回動により開閉可能に設けるほか、ガイド溝等によりスライド可能にしてもよいし、脱着可能な構造としてもよい。また、清掃を開口部等から行える場合は、必ずしも開閉可能なカバーを設けた構造とする必要はなく、一体構造のケーシングとしてもよい。
【００３９】
ケーシングにおける排尿管の下方を開閉するためには、スライド部と共に移動するシャッタ部の他、スライド部と別個に設けたキャップとしてもよく、開放状態のままとすることが特に問題とならなければ、シャッタ部やキャップを省略してもよい。また、この排尿管下方部分を保護するために、図２及び図３に一点鎖線で示すように、カバーの下端部から後方へ曲折して延びる舌片２６ａを設け、これに開口部２６０を設けるようにしてもよい。
【００４０】
スライド部を前進位置に保持するための係止部は、弾性的に変位する爪等の他、摺動部材や回動部材をケーシングに支持し、スライド部に係合させてその位置を保持する構造としてもよい。また、図６の例のように、スライド部が前進位置で後退方向に戻す力を受けない場合は、係止部を省略することもできる。
【００４１】
排尿管は、全体が弾性変形可能である必要はなく、少なくとも、スライド部により閉鎖される部分が弾性変形可能であればよい。
【図面の簡単な説明】
【００４２】
【図１】本発明の一実施形態に係るバルブ装置を備えた採尿バッグの斜視図である。
【図２】図１に示したバルブ装置の斜視図であり、カバーを閉じた状態を示す。
【図３】図１に示したバルブ装置の斜視図であり、カバーを開いた状態を示す。
【図４】図１に示したバルブ装置についてカバーを一部切欠いて示す正面図であり、(a)は通常の使用状態、(b)は尿排出時の状態を示す。
【図５】本発明の他の実施形態に係るバルブ装置に使用するスライド部の斜視図である。
【図６】図５に示したスライド部を備えた本発明の他の実施形態に係るバルブ装置についてカバーを一部切欠いて示す正面図であり、(a)は通常の使用状態、(b)は尿排出時の状態を示す。
【図７】本発明のさらに他の実施形態に係るバルブ装置の斜視図であり、、カバーを閉じた状態を示す。
【図８】図７に示したバルブ装置の斜視図であり、カバーを開いた状態を示す。
【図９】図７に示したバルブ装置についてカバーを一部切欠いて示す正面図であり、(a)は通常の使用状態、(b)は尿排出時の状態を示す。
【図１０】本発明のさらに他の実施形態に係るバルブ装置についてカバーを一部切欠いて示す正面図であり、(a)は通常の使用状態、(b)は尿排出時の状態を示す。
【図１１】従来の採尿バッグの一例を示す斜視図である。
【図１２】従来の採尿バッグの他の例を示す正面図である。
【図１３】図１２に示した従来の採尿バッグに使用されるバルブ装置についてカバーを一部切欠いて示す正面図であり、(a)は通常の使用状態、(b)は尿排出時の状態を示す。
【符号の説明】
【００４３】
１  バッグ本体
２ａ  接続部
２  インレットチューブ
３  排尿管
４，４’，４Ａ，４Ｂ  バルブ装置
２０  ケーシング
２６，２６０  開口部
２９  係止爪（係止部）
３０，３０’，３０Ａ，３０Ｂ  スライド部
３１，３１’  圧締部
３２，３５ｃ，３６ｃ  シャッタ部
３５ａ  第１圧締部
３５ｂ  第２圧締部
３６ａ  上部圧締部
３６ｂ  中間圧締部
【図１】
2008229312.tif 000003
【図２】
2008229312.tif 000004
【図３】
2008229312.tif 000005
【図４】
2008229312.tif 000006
【図５】
2008229312.tif 000007
【図６】
2008229312.tif 000008
【図７】
2008229312.tif 000009
【図８】
2008229312.tif 000010
【図９】
2008229312.tif 000011
【図１０】
2008229312.tif 000012
【図１１】
2008229312.tif 000013
【図１２】
2008229312.tif 000014
【図１３】
2008229312.tif 000015